(57)【特許請求の範囲】
【請求項１】
角筒状をなして前後方向に延びる本体部と、
この本体部がコネクタハウジングに設けられたキャビティ内に後方から挿入されると、同キャビティの内面に設けられた挿通溝に挿通することにより前記本体部の挿入動作を案内可能とされているとともに、前記キャビティ内における正規の挿入位置まで挿入されると、前記キャビティの内面に設けられたランスが係止することにより前記本体部を後方へ抜止するスタビライザとを備え、
前記スタビライザは、前記本体部を構成する周壁部のうち一壁部の一端縁を基端部として他端縁側に向けて片持ち状に折り曲げることにより前記本体部の外面に配され、その延出端部と前記基端部との間において外面側に膨出する形態をなしている端子金具であって、
前記スタビライザの延出端には係止部が設けられ、前記一壁部の他端縁には前記係止部と前後方向に係止可能な被係止部が設けられ、前記スタビライザの延出端部は、前記係止部の前端が前記被係止部と係止することによって前方への移動が規制されている端子金具。
【請求項２】
前記スタビライザの延出端部は、前記係止部の後端が前記被係止部と係止することによって後方への移動が規制されている請求項１に記載の端子金具。
【請求項３】
前記係止部は、その後端を切り欠くことによって形成された切り欠き部を有し、前記被係止部は、前記切り欠き部に嵌り込んで前記スタビライザの延出端部が後方へ移動することを規制する突部を有し、その突部の後端が前記スタビライザの後端よりも前方とされている請求項２に記載の端子金具。
【請求項４】
角筒状をなして前後方向に延びる本体部と、
この本体部がコネクタハウジングに設けられたキャビティ内に後方から挿入されると、同キャビティの内面に設けられた挿通溝に挿通することにより前記本体部の挿入動作を案内可能なスタビライザとを備え、
前記スタビライザは、前記本体部を構成する周壁部のうち一壁部の外面から膨出する形態をなし、かつ、前記一壁部において前後方向に沿う一端縁側を基端部として他端縁側に向けて片持ち状に延出されている端子金具であって、
前記スタビライザの延出端には係止部が設けられ、前記一壁部の他端縁には前記係止部と前後方向に係止可能な被係止部が設けられ、前記スタビライザの延出端部は、前記係止部の前端が前記被係止部と係止することによって前方への移動が規制されており、
前記スタビライザの延出端部は、前記係止部の後端が前記被係止部と係止することによって後方への移動が規制されており、
前記係止部は、その後端を切り欠くことによって形成された切り欠き部を有し、前記被係止部は、前記切り欠き部に嵌り込んで前記スタビライザの延出端部が後方へ移動することを規制する突部を有し、その突部の後端が前記スタビライザの後端よりも前方とされている端子金具。
【請求項５】
前記一壁部の他端縁には長孔が貫通形成されているものにおいて、前記被係止部は、前記長孔の開口縁により構成されている請求項１ないし請求項４のいずれか一項に記載の端子金具。
【請求項６】
前記スタビライザの延出方向を左右方向と定義したときに、前記スタビライザは前記一壁部における前記左右方向中央に位置する折り返し部を頂点として略三角形状をなしている請求項１ないし請求項５のいずれか一項に記載の端子金具。
【発明の詳細な説明】
【技術分野】
【０００１】
本発明は、端子金具に関する。
【背景技術】
【０００２】
従来、端子金具をキャビティ内に挿入する動作の案内を行うスタビライザを備えた端子金具として、例えば下記特許文献１に記載の端子金具が知られている。この端子金具は、角筒状をなして前後方向に延びる本体部を有している。スタビライザは本体部の外面から膨出する形態をなし、本体部を構成する一壁部の端縁を基端部として片持ち状に延出されている。このような構成によると、スタビライザに力がかかったときに、その基端部で支持することにより、スタビライザの変形等を規制することができる。
【特許文献１】特開２００３−６８３８５公報
【発明の開示】
【発明が解決しようとする課題】
【０００３】
しかしながら、上記した端子金具では、スタビライザが片持ち状となっているため、スタビライザに対してさらに強い力がかかると、スタビライザの基端部側が座屈して変形する等のおそれがある。例えば、スタビライザの後端にランスを係止させて端子金具の抜止を行うような場合には、十分な係止力を得ることができない等の問題がある。
本発明は上記のような事情に基づいて完成されたものであって、例えばスタビライザの後端にランスを係止させても十分な係止力を得ることができるように、剛性の高いスタビライザを形成することを目的とする。
【課題を解決するための手段】
【０００４】
本発明は、角筒状をなして前後方向に延びる本体部と、この本体部がコネクタハウジングに設けられたキャビティ内に後方から挿入されると、同キャビティの内面に設けられた挿通溝に挿通することにより本体部の挿入動作を案内可能とされているとともに、キャビティ内における正規の挿入位置まで挿入されると、キャビティの内面に設けられたランスが係止することにより本体部を後方へ抜止するスタビライザとを備え、スタビライザは、本体部を構成する周壁部のうち一壁部の一端縁を基端部として他端縁側に向けて片持ち状に折り曲げることにより本体部の外面に配され、その延出端部と基端部との間において外面側に膨出する形態をなしている端子金具であって、スタビライザの延出端には係止部が設けられ、一壁部の他端縁には係止部と前後方向に係止可能な被係止部が設けられ、スタビライザの延出端部は、係止部の前端が被係止部と係止することによって前方への移動が規制されている構成としたところに特徴を有する。
【０００５】
このような構成によると、係止部の前端が被係止部と係止することによって、スタビライザの延出端部が前方へ移動することが規制される。すなわち、スタビライザを基端部と延出端部の双方で支持することができるから、スタビライザの剛性を高めることができる。よって、例えばスタビライザの後端にランスを係止させて端子金具の抜止を行う場合に、十分な係止力を得ることができる。
【０００６】
本発明の実施の態様として、以下の構成が好ましい。
スタビライザの延出端部は、係止部の後端が被係止部と係止することによって後方への移動が規制されている構成としてもよい。
このような構成によると、係止部の後端が被係止部と係止することによって、スタビライザの延出端部が後方へ移動することが規制される。この結果、例えば端子金具を上下反転した姿勢でキャビティ内に後方から挿入し、スタビライザの前端がキャビティの後端開口縁に接触する等した場合に、スタビライザが座屈し変形することを規制可能である。
【０００７】
係止部は、その後端を切り欠くことによって形成された切り欠き部を有し、被係止部は、切り欠き部に嵌り込んでスタビライザの延出端部が後方へ移動することを規制する突部を有し、その突部の後端がスタビライザの後端よりも前方とされている構成としてもよい。
また、本発明は、角筒状をなして前後方向に延びる本体部と、この本体部がコネクタハウジングに設けられたキャビティ内に後方から挿入されると、同キャビティの内面に設けられた挿通溝に挿通することにより本体部の挿入動作を案内可能なスタビライザとを備え、スタビライザは、本体部を構成する周壁部のうち一壁部の外面から膨出する形態をなし、かつ、一壁部において前後方向に沿う一端縁側を基端部として他端縁側に向けて片持ち状に延出されている端子金具であって、スタビライザの延出端には係止部が設けられ、一壁部の他端縁には係止部と前後方向に係止可能な被係止部が設けられ、スタビライザの延出端部は、係止部の前端が被係止部と係止することによって前方への移動が規制されており、スタビライザの延出端部は、係止部の後端が被係止部と係止することによって後方への移動が規制されており、係止部は、その後端を切り欠くことによって形成された切り欠き部を有し、被係止部は、切り欠き部に嵌り込んでスタビライザの延出端部が後方へ移動することを規制する突部を有し、その突部の後端がスタビライザの後端よりも前方とされている構成としてもよい。
このような構成によると、突部の後端がスタビライザの後端よりも前方とされているから、スタビライザの後端にランスを係止させる場合に、ランスと突部が干渉することを規制可能である。すなわち、突部との干渉を回避するためにランスを小さめに形成する必要がなく、大きなランスをスタビライザの後端に係止させることでより大きな係止力を得ることができる。
【０００８】
一壁部の他端縁には長孔が貫通形成されているものにおいて、被係止部は、長孔の開口縁により構成してもよい。
このようにすると、スタビライザの延出端部を長孔に嵌合させることにより、係止部と被係止部とを係止させることができる。
【０００９】
スタビライザの延出方向を左右方向と定義したときに、スタビライザは一壁部における左右方向中央に位置する折り返し部を頂点として略三角形状をなしている構成としてもよい。
このような構成によると、本体部の内部において前後方向に通過する軸心からスタビライザの折り返し部までの距離を最小にすることができる。したがって、例えば端子金具を円孔に挿入する際に折り返し部と円孔の内周面との干渉を最小にすることができる。
【発明の効果】
【００１０】
本発明によれば、剛性の高いスタビライザを形成することができる。
【発明を実施するための最良の形態】
【００１１】
＜実施形態＞
本発明の実施形態を図１ないし図５の図面を参照しながら説明する。本実施形態の端子金具１は、角筒状をなして前後方向に延びる形態の本体部１０と、その本体部１０の後方に連なるバレル部２０と、本体部１０の外面から膨出する形態をなすスタビライザ３０とを備えている。この端子金具１は、本体部１０がコネクタハウジング（図示せず）に設けられたキャビティ（図示せず）内に後方から挿入されると、スタビライザ３０が同キャビティの内面に設けられた挿通溝（図示せず）に挿通することにより本体部１０の挿入動作を案内可能となっている。尚、以下の説明において上下方向及び左右方向とは図１の上下方向及び左右方向を基準とする。
【００１２】
図１は端子金具１を前方から見た正面図を示しており、図２は端子金具１を上方から見た平面図を示しており、図３は端子金具１を側方から見た側面図を示しており、図４はスタビライザ３０を前方から見た断面図を示しており、図５は端子金具１を折り曲げ形成する前の展開状態を上方から見た平面図を示している。
【００１３】
バレル部２０は、電線端末（図示せず）の芯線をかしめ付けるワイヤバレル部２１と、電線端末の被覆部分をかしめ付けるインシュレーションバレル部２２とを備えている。インシュレーションバレル部２２はワイヤバレル部２１の後方に配され、一対のかしめ片がそれぞれ前後に位置ずれして設けられている。
【００１４】
本体部１０は、図１に示すように、下壁部１１と、下壁部１１の左端から垂直に立ち上がる左壁部１２と、下壁部１１の右端から垂直に立ち上がる右壁部１３と、左壁部１２の上端と右壁部１３の上端との間に配され下壁部１１と対向配置された上壁部１４とから構成されている。また、上壁部１４は二重壁状をなしており、本体部１０の内面側に配された内壁部（本発明の「一壁部」の一例）１４Ａと、その内壁部１４Ａの後端における外面側に積層された外壁部１４Ｂとから構成されている。尚、外壁部１４Ｂは、内壁部１４Ａが外方に開き変形することを規制可能である。
【００１５】
本体部１０の内部には、内壁部１４Ａの後端から前方に延出された弾性接触片１５が設けられている。弾性接触片１５は、上下方向に弾性撓み可能に設けられている。弾性接触片１５は、本体部１０の前端開口から内部に進入した相手側端子金具の雄タブ（図示せず）に対して弾性的に接触可能である。つまり、雄タブは、弾性接触片１５に摺接してこれを下壁部１１側に押し下げつつ、本体部１０の内部に進入し弾性接触片１５と内壁部１４Ａとの間に挟持される。これにより、相手側端子金具と端子金具１とが導通可能に接続される。
【００１６】
内壁部１４Ａの右端縁（本発明の「他端縁」の一例）１４Ｒ、すなわち右壁部１３の上端には、図５に示すように、金型等で打ち抜かれることにより前後方向に長い長孔１４Ｈが貫通形成されている。内壁部１４Ａは、長孔１４Ｈが設けられることで右壁部１３に対して前端側と後端側の２箇所で接続された形態となっている。内壁部１４Ａのうち長孔１４Ｈの前縁より後方部分は、叩き出されることにより本体部１０の内面側に板厚一枚分だけ低く形成されている。また、長孔１４Ｈの開口縁における右壁部１３側には、突部１６が突出して形成されている。この突部１６の後端は、スタビライザ３０の後端よりも前方とされている。このため、例えばスタビライザ３０の後端にランスを係止させたい場合に、突部１６との干渉を回避してランスを幅狭に形成する必要がなく、大きなランスを形成して十分な係止力を得ることができる。
【００１７】
尚、端子金具１は、防水マットシール（図示せず）に挿入されるようになっており、このとき、防水マットシールの傷付き防止のため、本体部１０の前面における外周縁部が全て面取りされている。本体部１０に連なるスタビライザ３０についても、本体部１０と同様に、外周縁部が面取りされており、さらに折り曲げによってＲが付けられた状態に形成されている。この点については、次述する。
【００１８】
ところで、本実施形態の端子金具１は、キャビティ内における正規の挿入位置まで挿入されると、キャビティの内面に設けられたランス（図示せず）がスタビライザ３０の後端に係止することにより後方へ抜止されるようになっている。
【００１９】
スタビライザ３０は、図４に示すように、左壁部１２の上端縁から右斜め上方に延出され、その延出端部で右斜め下方に折り返されて右壁部１３の上端縁側に延出されている。換言すると、スタビライザ３０は、内壁部１４Ａの左端縁（本発明の「一端縁」の一例）１４Ｌ側を基端部３０Ａとして上方に膨出する形態をなし、右端縁（本発明の「他端縁」の一例）１４Ｒ側に延出端部３０Ｂが配置された片持ち状をなしている。また、スタビライザ３０は、その上端（本発明の「折り返し部」の一例）３０Ｃが内壁部１４Ａの左右方向中央に位置しており、その上端３０Ｃを頂点とした略三角形状をなしている。これにより、端子金具１を防水マットシールの円孔（図示せず）に挿入する際に円孔の変形が最小にすることができる。
【００２０】
スタビライザ３０の延出端部３０Ｂには係止部３１が形成されており、この係止部３１にはその後端が一部切り欠かれることにより切り欠き部３２が形成されている。係止部３１は、長孔１４Ｈの開口縁における前縁（以下「長孔１４Ｈの前縁」という）１７と突部１６の前縁１８との間に嵌り込むようになっている。詳細には、係止部３１の前縁は長孔１４Ｈの前縁１７と略当接した状態となり、係止部３１の後縁、すなわち切り欠き部３２を構成する前縁は突部１６の前縁１８と略当接した状態となる。尚、長孔１４Ｈの前縁１７及び突部１６の前縁１８は本発明の「被係止部」を構成している。
【００２１】
このような構成によると、正規の挿入位置にある端子金具１に接続された電線が後方に引っ張られる等してスタビライザ３０の後端がランスによって強い力を受けた場合に、スタビライザ３０の延出端部３０Ｂが前方に移動することを規制することができる。したがって、ランスに対する係止力を高めることが可能である。また、端子金具１を上下反転した姿勢でキャビティ内に後方から挿入し、スタビライザ３０の前端がキャビティの後端開口縁に接触する等した場合に、スタビライザ３０が座屈し変形することを規制することができる。
【００２２】
次に、端子金具１を折り曲げ形成する前の展開状態について図５を参照しながら説明する。下壁部１１の図示上方には、左壁部１２、スタビライザ３０、及び上壁部１４の外壁部１４Ｂが連なり、下壁部１１の図示下方には、右壁部１３、及び上壁部１４の内壁部１４Ａが連なっている。そして、内壁部１４Ａの図示右方（本発明における後方）に弾性接触片１５が配置されている。また、内壁部１４Ａの左端縁１４Ｌには、前後方向に長い張り出し部１４Ｆが形成されている。この張り出し部１４は、スタビライザ３０の基端部３０Ａ側後縁と上壁部１４Ｂの基端部側前縁との間に嵌り込み、内壁部１４Ａの左端縁１４Ｌが前後方向に移動することを規制可能である。
【００２３】
また、本実施形態における端子金具１は、展開状態において側方（図示上下方向）に並んで配置されている。ここで、弾性接触片１５は、ワイヤバレル部２１及ぶインシュレーションバレル部２２との干渉を回避しつつ斜め後方に延びる形態で内壁部１４Ａの後方（図示右方）に配置されているから、弾性接触片１５を内壁部１４Ａの側方（図示下方）に配置した場合よりも、端子金具１間ピッチを小さくすることができる。
【００２４】
本実施形態は以上のような構造であって、続いてその作用を説明する。
まず、展開状態から端子金具１を折り曲げ形成する方法を説明する。展開状態において弾性接触片１５を前方に折り返しつつ下壁部１１の左右両側縁を上方に折り曲げることにより左壁部１２及び右壁部１３を形成する。右壁部１３の上端縁を左壁部１２側に折り曲げることにより上壁部１４の内壁部１４Ａを形成する。左壁部１２の上端縁を右壁部１３側に折り曲げることにより上壁部１４の外壁部１４Ｂを形成すると共に、スタビライザ３０を形成する。スタビライザ３０は、内壁部１４Ａの左端縁１４Ｌ側から右斜め上方に延出し、内壁部１４Ａの左右方向中央で右斜め下方に折り返して内壁部１４Ａの右端縁１４Ｒ側に延出することにより略三角形状となるように形成する。
【００２５】
次に、端子金具１をキャビティ内に挿入する。このとき、スタビライザ３０をキャビティ内の挿通溝に挿通することにより本体部１０の挿入動作が案内される。そして、端子金具１が正規の挿入位置に至ると、スタビライザ３０の後端にランスが係止して端子金具１がキャビティ内で後方に抜け止めされた状態に保持される。一方、端子金具１を上下反転した姿勢でキャビティ内に挿入し、スタビライザ３０の前端がキャビティの後端開口縁に接触する等した場合に、係止部３１の後縁が突部１６の前縁１８に当接することにより、スタビライザ３０の延出端部３０Ｂが後方へ移動することが規制されると共に、スタビライザ３０が座屈し変形することが規制される。
【００２６】
また、正規の挿入位置において端子金具１に接続された電線が後方に引っ張られる等してスタビライザ３０の後端がランスに押し当てられて強い力がかかったとしても、係止部３１の前縁が長孔１４Ｈの前縁１７に当接することによりスタビライザ３０の延出端部３０Ｂが前方へ移動することが規制される。また、係止部３１の後端に切り欠き部３２を設け、この切り欠き部３２に突部１６が収容されるようにし、この突部１６の後縁がスタビライザ３０の後端よりも前方となるようにしたから、突部１６との干渉を回避すべくランスを小さめに形成しなくてもよく、大きなランスを形成することができる。これらによって、スタビライザ３０の後端のランスに対する係止力を十分確保することができ、もって端子金具１がキャビティ内から後方へ抜けることが規制される。このように、本実施形態のスタビライザ３０は、端子金具１の案内機能と抜止機能を兼ね備えていることから、これらを別々に設けなくてもよく、全体として簡素な構成とすることができる。
【００２７】
以上のように本実施形態では、係止部３１の前縁が長孔１４Ｈの前縁１７と係止することによって、スタビライザ３０の延出端部３０Ｂが前方へ移動することが規制される。すなわち、スタビライザ３０を基端部３０Ａと延出端部３０Ｂの双方で支持することができるから、スタビライザ３０の剛性を高めることができる。よって、スタビライザ３０の後端にランスを係止させて端子金具１の抜止を行う場合に、十分な係止力を得ることができる。
【００２８】
また、係止部３１の後縁が突部１６の前縁１８と係止することによって、スタビライザ３０の係止部３１側が後方へ移動することが規制される。例えば、端子金具１を上下反転した姿勢でキャビティ内に後方から挿入し、スタビライザ３０の前端がキャビティの後端開口縁に接触する等した場合に、スタビライザ３０が座屈し変形することも規制可能である。
【００２９】
さらに、突部１６の後縁がスタビライザ３０の後端よりも前方とされているから、スタビライザ３０の後端にランスを係止させる場合に、ランスと突部１６が干渉することを規制可能である。すなわち、突部１６との干渉を回避するためにランスを小さめに形成する必要がなく、大きなランスをスタビライザ３０の後端に係止させることでより大きな係止力を得ることができる。
【００３０】
これらに加えて、展開状態で弾性接触片１５を内壁部１４Ａの後方に配置したから、内壁部１４Ａの側方に配置した場合よりも、端子金具１間ピッチを小さくすることができ、端子金具１の取数が増加し歩留まりを向上させることができる。
【００３１】
＜他の実施形態＞
本発明は上記記述及び図面によって説明した実施形態に限定されるものではなく、例えば次のような実施形態も本発明の技術的範囲に含まれる。
（１）本実施形態ではスタビライザ３０を内壁部１４Ａの外面に形成しているものの、本発明によると、スタビライザ３０を本体部１０を構成する周壁部のいずれの外面に形成してもよく、例えば右壁部１３の外面に形成してもよい。
【００３２】
（３）本実施形態では係止部３１が長孔１４Ｈに嵌り込むことで端子金具１の前後方向の移動を規制しているものの、本発明によると、係止部３１に開口を設け、この開口に嵌り込む突部を右壁部１３の上端縁に設けてもよい。
（４）本実施形態では左壁部１２の上端縁を基端部としてスタビライザ３０を形成しているものの、本発明によると、右壁部１３の上端縁を基端部として左壁部１２の上端縁に向けて片持ち状に延出することによりスタビライザ３０を形成してもよい。
【図面の簡単な説明】
【００３３】
【図１】本実施形態における端子金具を前方から見た正面図
【図２】その端子金具を上方から見た平面図
【図３】その端子金具を側方から見た側面図
【図４】図２のＩＶ−ＩＶ線断面図
【図５】本実施形態における端子金具を折り曲げ形成する前の展開状態を上方から見た平面図
【符号の説明】
【００３４】
１…端子金具
１０…本体部
１４…上壁部
１４Ａ…内壁部（一壁部）
１４Ｌ…左端縁（一端縁）
１４Ｒ…右端縁（他端縁）
１４Ｈ…長孔
１６…突部
１７…長孔の前縁（被係止部）
１８…突部の前縁（被係止部）
３０…スタビライザ
３０Ａ…スタビライザの基端部
３０Ｂ…スタビライザの延出端部
３０Ｃ…スタビライザの上端（折り返し部）
３１…係止部
３２…切り欠き部
【図１】
0005125431.tif 000002
【図２】
0005125431.tif 000003
【図３】
0005125431.tif 000004
【図４】
0005125431.tif 000005
【図５】
0005125431.tif 000006